(57)【要約】【課題】回路規模の増大を抑えることが可能な無線通信装置を提供すること。【解決手段】第１の無線通信装置１０は、拡散符号を生成するための複数の初期値を記憶する記憶部１１と、記憶された複数の初期値から選択される初期値を、受信側の無線通信装置と同期する同期信号に基づいて切り替える切り替え部１２と、切り替えられた初期値を使用して拡散符号を生成する拡散符号生成部１３と、生成された拡散符号に基づいて送信信号を変調する変調部１４と、変調された送信信号を受信側の無線通信装置へ無線送信する送信部１５と、を備える。【選択図】図１
2020178184.tif 000002
【特許請求の範囲】
【請求項１】
拡散符号を生成するための複数の初期値を記憶する記憶部と、
前記記憶された複数の初期値から選択される初期値を、受信側の無線通信装置と同期する同期信号に基づいて切り替える切り替え部と、
前記切り替えられた初期値を使用して拡散符号を生成する拡散符号生成部と、
前記生成された拡散符号に基づいて送信信号を変調する変調部と、
前記変調された送信信号を前記受信側の無線通信装置へ無線送信する送信部と、
を備える、無線通信装置。
【請求項２】
時刻信号を受信する時刻信号受信部を備え、
前記同期信号は、前記受信する時刻信号である、
請求項１に記載の無線通信装置。
【請求項３】
前記時刻信号受信部は、さらに所定周期の基準信号を生成し、
前記拡散符号生成部は、前記基準信号のタイミングに基づいて前記拡散符号を生成し、
前記変調部は、前記基準信号のタイミングに基づいて前記送信信号を変調する、
請求項２に記載の無線通信装置。
【請求項４】
前記切り替え部は、前記基準信号のタイミングに基づいて前記初期値を切り替える、
請求項３に記載の無線通信装置。
【請求項５】
前記切り替え部は、
前記時刻信号を時刻データにデコードするデコード部と、
前記デコードされた時刻データに対応する記憶部における前記初期値のアドレスを生成するアドレス生成部と、を備える
請求項２乃至４のいずれか一項に記載の無線通信装置。
【請求項６】
前記拡散符号生成部は、所定の生成多項式に基づいて、前記拡散符号を生成し、
前記切り替え部は、前記生成多項式に設定する前記初期値を切り替える、
請求項１乃至５のいずれか一項に記載の無線通信装置。
【請求項７】
拡散符号を生成するための複数の初期値を記憶する記憶部と、
前記記憶された複数の初期値から選択される初期値を、送信側の無線通信装置と同期する同期信号に基づいて切り替える切り替え部と、
前記切り替えられた初期値を使用して拡散符号を生成する拡散符号生成部と、
前記送信側の無線通信装置から無線送信された無線信号を受信する受信部と、
前記生成された拡散符号に基づいて、前記受信された無線信号を復調する復調部と、
を備える、無線通信装置。
【請求項８】
第１の無線通信装置と第２の無線通信装置とを備えた無線通信システムであって、
前記第１の無線通信装置は、
拡散符号を生成するための複数の初期値を記憶する第１の記憶部と、
前記記憶された複数の初期値から選択される初期値を、前記第２の無線通信装置と同期する同期信号に基づいて切り替える第１の切り替え部と、
前記切り替えられた初期値を使用して拡散符号を生成する第１の拡散符号生成部と、
前記生成された拡散符号に基づいて送信信号を変調する変調部と、
前記変調された送信信号を前記第２の無線通信装置へ無線送信する送信部と、
を備え、
前記第２の無線通信装置は、
拡散符号を生成するための複数の初期値を記憶する第２の記憶部と、
前記記憶された複数の初期値から選択される初期値を、前記第１の無線通信装置と同期する同期信号に基づいて切り替える第２の切り替え部と、
前記切り替えられた初期値を使用して拡散符号を生成する第２の拡散符号生成部と、
前記第１の無線通信装置から無線送信された無線信号を受信する受信部と、
前記生成された拡散符号に基づいて、前記受信された無線信号を復調する復調部と、
を備える、無線通信システム。
【請求項９】
拡散符号を生成するための複数の初期値を記憶し、
前記記憶された複数の初期値から選択される初期値を、受信側の無線通信装置と同期する同期信号に基づいて切り替え、
前記切り替えられた初期値を使用して拡散符号を生成し、
前記生成された拡散符号に基づいて送信信号を変調し、
前記変調された送信信号を前記受信側の無線通信装置へ無線送信する、
無線通信方法。
【請求項１０】
拡散符号を生成するための複数の初期値を記憶し、
前記記憶された複数の初期値から選択される初期値を、送信側の無線通信装置と同期する同期信号に基づいて切り替え、
前記切り替えられた初期値を使用して拡散符号を生成し、
前記送信側の無線通信装置から無線送信された無線信号を受信し、
前記生成された拡散符号に基づいて、前記受信された無線信号を復調する、
無線通信方法。
【発明の詳細な説明】
【技術分野】
【０００１】
本発明は、無線通信装置、無線通信システム及び無線通信方法に関し、特に無線通信を行う無線通信装置、無線通信システム及び無線通信方法に関する。
【背景技術】
【０００２】
近年、無線通信の普及が進むなかで、無線通信の秘匿性の確保が問題となっている。関連する技術として、例えば、特許文献１に記載された技術が知られている。特許文献１では、無線通信装置の送信側と受信側にそれぞれ複数の拡散符号発生回路を備えている。
【先行技術文献】
【特許文献】
【０００３】
【特許文献１】特開平０９−３１２５９１号公報
【発明の概要】
【発明が解決しようとする課題】
【０００４】
上記のように、関連する技術では、無線通信の秘匿性向上のために、無線通信装置の送信側と受信側にそれぞれ複数の拡散符号発生回路を備えている。しかしながら、関連する技術では、秘匿性を確保しようとすると、複数の拡散符号発生回路が必要となるため、回路規模が増大するという問題がある。
【０００５】
本発明は、このような課題に鑑み、回路規模の増大を抑えることが可能な無線通信装置、無線通信システム及び無線通信方法を提供することを目的とする。
【課題を解決するための手段】
【０００６】
本発明に係る無線通信装置は、拡散符号を生成するための複数の初期値を記憶する記憶部と、前記記憶された複数の初期値から選択される初期値を、受信側の無線通信装置と同期する同期信号に基づいて切り替える切り替え部と、前記切り替えられた初期値を使用して拡散符号を生成する拡散符号生成部と、前記生成された拡散符号に基づいて送信信号を変調する変調部と、前記変調された送信信号を前記受信側の無線通信装置へ無線送信する送信部と、を備えるものである。
【０００７】
本発明に係る他の無線通信装置は、拡散符号を生成するための複数の初期値を記憶する記憶部と、前記記憶された複数の初期値から選択される初期値を、送信側の無線通信装置と同期する同期信号に基づいて切り替える切り替え部と、前記切り替えられた初期値を使用して拡散符号を生成する拡散符号生成部と、前記送信側の無線通信装置から無線送信された無線信号を受信する受信部と、前記生成された拡散符号に基づいて、前記受信された無線信号を復調する復調部と、を備えるものである。
【０００８】
本発明に係る無線通信システムは、第１の無線通信装置と第２の無線通信装置とを備えた無線通信システムであって、前記第１の無線通信装置は、拡散符号を生成するための複数の初期値を記憶する第１の記憶部と、前記記憶された複数の初期値から選択される初期値を、前記第２の無線通信装置と同期する同期信号に基づいて切り替える第１の切り替え部と、前記切り替えられた初期値を使用して拡散符号を生成する第１の拡散符号生成部と、前記生成された拡散符号に基づいて送信信号を変調する変調部と、前記変調された送信信号を前記第２の無線通信装置へ無線送信する送信部と、を備え、前記第２の無線通信装置は、拡散符号を生成するための複数の初期値を記憶する第２の記憶部と、前記記憶された複数の初期値から選択される初期値を、前記第１の無線通信装置と同期する同期信号に基づいて切り替える第２の切り替え部と、前記切り替えられた初期値を使用して拡散符号を生成する第２の拡散符号生成部と、前記第１の無線通信装置から無線送信された無線信号を受信する受信部と、前記生成された拡散符号に基づいて、前記受信された無線信号を復調する復調部と、を備えるものである。
【０００９】
本発明に係る無線通信方法は、拡散符号を生成するための複数の初期値を記憶し、前記記憶された複数の初期値から選択される初期値を、受信側の無線通信装置と同期する同期信号に基づいて切り替え、前記切り替えられた初期値を使用して拡散符号を生成し、前記生成された拡散符号に基づいて送信信号を変調し、前記変調された送信信号を前記受信側の無線通信装置へ無線送信するものである。
【００１０】
本発明に係る他の無線通信方法は、拡散符号を生成するための複数の初期値を記憶し、前記記憶された複数の初期値から選択される初期値を、送信側の無線通信装置と同期する同期信号に基づいて切り替え、前記切り替えられた初期値を使用して拡散符号を生成し、前記送信側の無線通信装置から無線送信された無線信号を受信し、前記生成された拡散符号に基づいて、前記受信された無線信号を復調するものである。
【発明の効果】
【００１１】
本発明によれば、回路規模の増大を抑えることが可能な無線通信装置、無線通信システム及び無線通信方法を提供することができる。
【図面の簡単な説明】
【００１２】
【図１】実施の形態に係る第１の無線通信装置の概要を示す構成図である。
【図２】実施の形態に係る第２の無線通信装置の概要を示す構成図である。
【図３】実施の形態１に係る無線通信システムの構成例を示す構成図である。
【図４】実施の形態１に係る無線通信装置の主要部の系統例を示す系統図である。
【図５】実施の形態１に係る無線通信装置の動作を説明するためのタイミングチャートである。
【図６】実施の形態１に係る無線通信装置の動作を説明するためのタイミングチャートである。
【図７】実施の形態１に係る拡散符号発生回路の構成例を示す構成図である。
【図８】実施の形態１に係る無線通信装置の動作を説明するためのタイミングチャートである。
【発明を実施するための形態】
【００１３】
（実施の形態の概要）
図１は、実施の形態に係る第１の無線通信装置の概要を示し、図２は、実施の形態に係る第２の無線通信装置の概要を示している。第１の無線通信装置１０と第２の無線通信装置２０は、互いに無線通信を行う無線通信システムを構成し、第１の無線通信装置１０は送信側の無線通信装置であり、第２の無線通信装置２０は受信側の無線通信装置である。
【００１４】
図１に示すように、第１の無線通信装置１０は、記憶部（第１の記憶部）１１、切り替え部（第１の切り替え部）１２、拡散符号生成部（第１の拡散符号生成部）１３、変調部１４、送信部１５を備えている。記憶部１１は、拡散符号を生成するための複数の初期値を記憶する。切り替え部１２は、記憶部１１に記憶された複数の初期値から選択される初期値を、受信側の第２の無線通信装置２０と同期する同期信号に基づいて切り替える。拡散符号生成部１３は、切り替え部１２によって選択された初期値を使用して拡散符号を生成する。変調部１４は、拡散符号生成部１３によって生成された拡散符号に基づいて送信信号を変調する。送信部１５は、変調部１４によって変調された送信信号を受信側の第２の無線通信装置２０へ無線送信する。
【００１５】
図２に示すように、第２の無線通信装置２０は、記憶部（第２の記憶部）２１、切り替え部（第２の切り替え部）２２、拡散符号生成部（第２の拡散符号生成部）２３、受信部２４、復調部２５を備えている。記憶部２１は、拡散符号を生成するための複数の初期値を記憶する。切り替え部２２は、記憶部２１に記憶された複数の初期値から選択される初期値を、送信側の第１の無線通信装置１０と同期する同期信号に基づいて切り替える。拡散符号生成部２３は、切り替え部２２によって選択された初期値を使用して拡散符号を生成する。受信部２４は、送信側の第１の無線通信装置１０から無線送信された無線信号を受信する。復調部２５は、拡散符号生成部２３によって生成された拡散符号に基づいて、受信部２４によって受信された無線信号を復調する。
【００１６】
関連する技術では、直接スペクトラム拡散において用いられる拡散符号として、特にＭ系列の場合、無線伝送において生じる妨害波やマルチパスに対応するため、復調時の相関検出が優れた疑似乱数符号を使用している。しかし、拡散符号として決められた符号を使用した場合、秘匿性が損なわれるという弊害があった。また、関連する技術として、秘匿性を確保するため、複数の拡散符号を切り替えて伝送する場合、格納するメモリ容量及び回路規模が増大するという課題もあった。
【００１７】
本実施の形態においては、送信側と受信側のみ知り得た疑似乱数符号の初期値情報をお互い同期したタイミングで切り替えて変調及び復調するため、秘匿性が高まる。また、記憶部（メモリ）には初期値情報のみを格納することとなるため、小規模な回路で実現することができる。
【００１８】
（実施の形態１）
以下、図面を参照して実施の形態１について説明する。本実施の形態では、復調時の相関検出が優れた疑似乱数符号を使用することで、耐妨害性、耐マルチパス性を確保しつつ、時間で拡散符号の初期値を切り替えることにより、複数の疑似乱数符号を持たすことなく、耐秘匿性を向上させる機能を提供する。
【００１９】
図３は、本実施の形態に係る無線通信システムの構成例を示している。図３に示すように、無線通信システム１は、互いに無線通信を行う無線通信装置１００と無線通信装置２００を備えている。
【００２０】
まず、送信側の無線通信装置１００は、送信元回路１０１、１次変調回路１０２、２次変調回路１０３、ローカル信号回路１０４、ミキサー／アンプ１０５、ＧＰＳ受信機１１１、メモリ１１２、符号制御回路１１３、拡散符号発生回路１１４を備えている。
【００２１】
送信元回路１０１は、送信元情報を生成する回路であり、受信側の無線通信装置２００（受取先回路２０４）に対し、情報を伝達する回路（機器）である。
【００２２】
１次変調回路１０２は、送信元回路１０１の送信元情報を無線で伝送するために変調する回路である。この変調は、情報を無線の搬送波に乗せるために行う処理であればよく、例えば、ＦＭ、ＰＭなどのアナログ変調やＦＳＫ、ＰＳＫなどのデジタル変調等の各種変調方式を採用してもよい。
【００２３】
ＧＰＳ受信機１１１は、アンテナ１１１ａを介して、ＧＰＳ衛星から時刻情報及び基準信号を受信する時刻情報受信部である。メモリ１１２は、複数の初期値情報を記憶（格納）する記憶回路（記憶部）である。符号制御回路１１３は、ＧＰＳ受信機１１１で受信した時刻情報及び基準信号に基づき、メモリ１１２に格納された初期値情報を呼び出す制御回路（切り替え部）である。すなわち、符号制御回路１１３は、ＧＰＳ受信機１１１からの時刻情報（同期信号）に応じて、メモリ１１２から初期値情報を取り出し、拡散符号発生回路１１４にその初期値情報を出力する。
【００２４】
拡散符号発生回路１１４は、直接スペクトラム拡散を行うために用いられる拡散符号を発生する回路である。この拡散符号としては自己相関がよく、他の信号との相関が低い疑似乱数（ＰＮ）符号が用いられる。例えば、Ｍ系列やＧｏｌｄ符号等の疑似乱数符号を発生する。拡散符号発生回路１１４は、符号制御回路１１３とメモリ１１２からの初期値情報に基づき、疑似乱数パターン（ＰＮ符号の初期値）を発生する。
【００２５】
２次変調回路１０３は、１次変調回路１０２において変調された信号と拡散符号発生回路１１４において発生した疑似乱数符号を混合する回路である。すなわち、２次変調回路１０３は、拡散符号発生回路１１４で生成された拡散符号を用いて１次変調回路１０２で変調された情報を拡散する。これにより、１次変調された帯域を広げ、見かけ上の信号レベルを低下させることができる。なお、１次変調回路１０２及び２次変調回路１０３を、拡散符号に基づいて送信信号を変調する変調部としてもよい。
【００２６】
ローカル信号回路１０４は、周波数変換のためのローカル信号（搬送波信号）を生成する発振器である。ミキサー／アンプ１０５は、２次変調回路１０３において生成された変調信号（拡散信号）とローカル信号回路１０４が生成したローカル信号を混合し、無線伝送するための所定の周波数に変換し、更に所定の送信電力に増幅する回路である。ミキサー／アンプ１０５は、増幅した信号を、アンテナ１０５ａを介して無線伝送する。
【００２７】
次に、受信側の無線通信装置２００は、受信機２０１、２次復調回路２０２、１次復調回路２０３、受取先回路２０４を備えており、無線通信装置１００と同様に、ＧＰＳ受信機２１１、メモリ２１２、符号制御回路２１３、拡散符号発生回路２１４を備えている。
【００２８】
受信機２０１は、無線伝送された所定の周波数に対応した受信機である。すなわち、受信機２０１は、送信側のミキサー／アンプ１０５の周波数に同調した受信機であり、アンテナ２０１ａを介して、送信側からの信号を受信する。受信された信号は、送信側と同一の搬送波周波数で混合することで、情報そのものの帯域に戻される。
【００２９】
ＧＰＳ受信機２１１、メモリ２１２、符号制御回路２１３、拡散符号発生回路２１４は、無線通信装置１００のＧＰＳ受信機１１１、メモリ１１２、符号制御回路１１３、拡散符号発生回路１１４とそれぞれ同じ構成の回路である。これにより、送信側と受信側で同じタイミングで同じ拡散符号を得ることができる。すなわち、メモリ２１２は、メモリ１１２と同じ複数の初期値情報を記憶しており、符号制御回路２１３は、アンテナ２１１ａを介してＧＰＳ受信機２１１から与えられた時刻情報に応じて、メモリ１１２から初期値情報を取り出し、拡散符号発生回路２１４は、この初期値情報に基づき拡散符号を生成する。
【００３０】
２次復調回路２０２は、拡散符号発生回路２１４からの疑似乱数パターン（拡散符号）と受信機２０１からの信号との相関を検出し、復調を行う回路である。すなわち、２次復調回路２０２が、送信側と同一の拡散符号にて逆拡散を行うことで、１次変調信号に戻される。
【００３１】
１次復調回路２０３は、２次復調回路２０２からの復調信号を、１次変調回路１０２の変調と同一の変調方式で検波、復調する回路である。復調された信号は、受取先回路２０４に情報として出力する。受取先回路２０４は、復調（復元）された送信元回路１０１の情報を受け取る。なお、１次復調回路２０３及び２次復調回路２０２を、拡散符号に基づいて受信信号を復調する復調部としてもよい。
【００３２】
次に、図４〜図８を用いて、本実施の形態に係る動作例を説明する。図４は、送信側の無線通信装置１００においてＧＰＳ受信機１１１の情報から、拡散符号発生回路１１４で拡散符号が生成されるまでの系統（流れ）を示す。図５は、１次変調回路１０２及び２次変調回路１０３で生成されるデータ例を示す。図６は、図４のタイミングチャートを示し、図７は、拡散符号発生回路１１４の構成例を示す。図８は、受信側の無線通信装置２００で復調した場合のデータ例を示している。
【００３３】
本実施の形態では、図４に示す系統を送信側と受信側に持たせることにより、秘匿性の高いデータの送受信が可能となる。図４の例では、送信側の無線通信装置１００は、図１の構成に加えて、例えば、発振器１１５及び逓倍回路１１６を備えている。まず、１次変調回路１０２及び拡散符号発生回路１１４は、ＧＰＳ受信機１１１から出力される所定周期の１ＰＰＳ（Pulse Per Second）信号（基準信号）に同期した発振器１１５の基準クロックを使用する。図５に示すように、１次変調回路１０２は、発振器１１５からの１次変調クロック（基準クロック）に合わせて変調を行い、１次変調データを生成する。
【００３４】
また、拡散符号発生回路１１４は、拡散する帯域に応じて逓倍回路１１６で周波数逓倍を行った逓倍クロックを使用する。図５に示すように、逓倍回路１１６からの２次変調クロック（逓倍クロック）に合わせて、拡散符号発生回路１１４が拡散符号を生成するとともに、２次変調回路１０３が２次変調を行い、２次変調データを生成する。本実施の形態では、１ＰＰＳ信号のタイミングで拡散符号の初期値を変更するため、１次変調データは同じであったとしても、２次変調データは各タイミングで相違するデータとなる。また、１ＰＰＳ信号に基づいたクロックを使用することにより、１次変調回路１０２が生成する１次変調データ及び２次変調回路１０３が生成する２次変調データは、１ＰＰＳ信号に同期したものとなるため、１ＰＰＳ信号を基準に拡散符号を変更してもデータの途切れなどは発生しない。なお、受信側の無線通信装置２００においても、同様に、発振器及び逓倍回路を備え、１次復調回路２０３及び拡散符号発生回路２１４は、１ＰＰＳ信号に同期した基準クロック及び逓倍クロックを使用し、データの途切れを防ぐことができる。
【００３５】
また、符号制御回路１１３は、例えば、時刻情報をデコードするデコーダ（デコード部）１２１と、デコードされた時刻データに対応するメモリ内の初期値のアドレスを生成するメモリアドレス発生器（アドレス生成部）１２２を備えている。図６に示すように、ＧＰＳ受信機１１１は、１ＰＰＳ信号を周期的に出力するとともに、ＧＰＳ時刻情報を出力する。ＧＰＳ受信機１１１から出力されるＧＰＳ時刻情報は、符号制御回路１１３内のデコーダ１２１により解読され、時刻データを抽出する。抽出された時刻データは、メモリアドレス発生器１２２に入力される。メモリアドレス発生器１２２では、メモリ１１２に対し、時刻データに基づいてアドレスを発生する。このとき、時刻データ（時刻情報）に対応したアドレスを生成できればよく、送信側と受信側で同じ方法であれば、任意の方法でアドレスを生成してもよい。予め時刻データとアドレスを対応付けておいていてもよいし、時刻データに対し所定の演算を行ってアドレスを求めてもよい。メモリ１１２は、複数の初期値Ａ〜Ｄ・・・を記憶しており、その中から与えられたアドレスに応じた初期値データ（a）（初期値情報）をメモリアドレス発生器１２２に返信する。図６に示すように、メモリアドレス発生器１２２は、ＧＰＳ受信機１１１から出力される１ＰＰＳ信号のタイミングで、拡散符号発生回路１１４に初期値データ（ａ）を渡す。これにより、１ＰＰＳ信号の周期に合わせて、拡散符号発生回路１１４から発生する疑似乱数データの符号が切り替わる。
【００３６】
図７は、Ｍ系列の符号を発生する拡散符号発生回路１１４の例である。図７に示すように、拡散符号発生回路１１４は、例えば、線形帰還シフトレジスタで構成され、Ｍ系列の生成多項式に対応して、シフトレジスタ部１４１、多項式部１４２、排他的論理和部１４３を備えている。拡散符号発生回路１１４は、メモリアドレス発生器１２２から得られたメモリ１１２の初期値データ（ａ）をシフトレジスタ部１４１に設定することにより、多項式（多項式部１４２）の初期値を変更し、拡散符号を生成する。これにより、初期値データ（ａ）に基づいたＭ系列の疑似乱数データ（拡散符号）が出力される。
【００３７】
受信側の無線通信装置２００の拡散符号発生回路２１４においても、同様に、１ＰＰＳ信号の周期に合わせて、初期値が切り替えられ、相違する拡散符号が出力される。この拡散符号を用いて２次復調回路２０２が復調を行い、さらに１次復調回路２０３が復調を行う。図８に示すように、送信側と受信側で初期値が同期していない場合、変調と復調のタイミングにずれが生じるため、１次変調データが変化する部分では相関を得ることができず、２次復調回路２０２で正確に復調を行うことができない。本実施の形態では、送信側と受信側で初期値が同期しているため、１次変調データが変化しても相関を得ることができ、２次復調回路２０２で正確に復調を行うことができる。
【００３８】
以上説明したように、本実施形態においては、直接スペクトラム拡散で用いられる拡散符号の初期値を決められた時間で変更することにより、複数の拡散符号を持つことなく、秘匿性の向上を図ることができる。
【００３９】
なお、本発明は上記実施の形態に限られたものではなく、趣旨を逸脱しない範囲で適宜変更することが可能である。
【００４０】
上記の実施形態の一部又は全部は、以下の付記のようにも記載されうるが、以下には限られない。
（付記１）
拡散符号を生成するための複数の初期値を記憶する記憶部と、
前記記憶された複数の初期値から選択される初期値を、受信側の無線通信装置と同期する同期信号に基づいて切り替える切り替え部と、
前記切り替えられた初期値を使用して拡散符号を生成する拡散符号生成部と、
前記生成された拡散符号に基づいて送信信号を変調する変調部と、
前記変調された送信信号を前記受信側の無線通信装置へ無線送信する送信部と、
を備える、無線通信装置。
（付記２）
時刻信号を受信する時刻信号受信部を備え、
前記同期信号は、前記受信する時刻信号である、
付記１に記載の無線通信装置。
（付記３）
前記時刻信号受信部は、さらに所定周期の基準信号を生成し、
前記拡散符号生成部は、前記基準信号のタイミングに基づいて前記拡散符号を生成し、
前記変調部は、前記基準信号のタイミングに基づいて前記送信信号を変調する、
付記２に記載の無線通信装置。
（付記４）
前記切り替え部は、前記基準信号のタイミングに基づいて前記初期値を切り替える、
付記３に記載の無線通信装置。
（付記５）
前記切り替え部は、
前記時刻信号を時刻データにデコードするデコード部と、
前記デコードされた時刻データに対応する記憶部における前記初期値のアドレスを生成するアドレス生成部と、を備える
付記２乃至４のいずれかに記載の無線通信装置。
（付記６）
前記拡散符号生成部は、所定の生成多項式に基づいて、前記拡散符号を生成し、
前記切り替え部は、前記生成多項式に設定する前記初期値を切り替える、
付記１乃至５のいずれかに記載の無線通信装置。
（付記７）
拡散符号を生成するための複数の初期値を記憶する記憶部と、
前記記憶された複数の初期値から選択される初期値を、送信側の無線通信装置と同期する同期信号に基づいて切り替える切り替え部と、
前記切り替えられた初期値を使用して拡散符号を生成する拡散符号生成部と、
前記送信側の無線通信装置から無線送信された無線信号を受信する受信部と、
前記生成された拡散符号に基づいて、前記受信された無線信号を復調する復調部と、
を備える、無線通信装置。
（付記８）
時刻信号を受信する時刻信号受信部を備え、
前記同期信号は、前記受信する時刻信号である、
付記７に記載の無線通信装置。
（付記９）
第１の無線通信装置と第２の無線通信装置とを備えた無線通信システムであって、
前記第１の無線通信装置は、
拡散符号を生成するための複数の初期値を記憶する第１の記憶部と、
前記記憶された複数の初期値から選択される初期値を、前記第２の無線通信装置と同期する同期信号に基づいて切り替える第１の切り替え部と、
前記切り替えられた初期値を使用して拡散符号を生成する第１の拡散符号生成部と、
前記生成された拡散符号に基づいて送信信号を変調する変調部と、
前記変調された送信信号を前記第２の無線通信装置へ無線送信する送信部と、
を備え、
前記第２の無線通信装置は、
拡散符号を生成するための複数の初期値を記憶する第２の記憶部と、
前記記憶された複数の初期値から選択される初期値を、前記第１の無線通信装置と同期する同期信号に基づいて切り替える第２の切り替え部と、
前記切り替えられた初期値を使用して拡散符号を生成する第２の拡散符号生成部と、
前記第１の無線通信装置から無線送信された無線信号を受信する受信部と、
前記生成された拡散符号に基づいて、前記受信された無線信号を復調する復調部と、
を備える、無線通信システム。
（付記１０）
前記第１の無線通信装置は、
時刻信号を受信する第１の時刻信号受信部を備え、
前記第１の無線通信装置における同期信号は、前記受信する時刻信号であり、
前記第２の無線通信装置は、
時刻信号を受信する第２の時刻信号受信部を備え、
前記第２の無線通信装置における同期信号は、前記受信する時刻信号である、
付記９に記載の無線通信システム。
（付記１１）
拡散符号を生成するための複数の初期値を記憶し、
前記記憶された複数の初期値から選択される初期値を、受信側の無線通信装置と同期する同期信号に基づいて切り替え、
前記切り替えられた初期値を使用して拡散符号を生成し、
前記生成された拡散符号に基づいて送信信号を変調し、
前記変調された送信信号を前記受信側の無線通信装置へ無線送信する、
無線通信方法。
（付記１２）
時刻信号を受信し、
前記同期信号は、前記受信する時刻信号である、
付記１１に記載の無線通信方法。
（付記１３）
拡散符号を生成するための複数の初期値を記憶し、
前記記憶された複数の初期値から選択される初期値を、送信側の無線通信装置と同期する同期信号に基づいて切り替え、
前記切り替えられた初期値を使用して拡散符号を生成し、
前記送信側の無線通信装置から無線送信された無線信号を受信し、
前記生成された拡散符号に基づいて、前記受信された無線信号を復調する、
無線通信方法。
（付記１４）
時刻信号を受信し、
前記同期信号は、前記受信する時刻信号である、
付記１３に記載の無線通信方法。
【符号の説明】
【００４１】
１      無線通信システム
１０    第１の無線通信装置
１１    記憶部
１２    切り替え部
１３    拡散符号生成部
１４    変調部
１５    送信部
２０    第２の        無線通信装置
２１    記憶部
２２    切り替え部
２３    拡散符号生成部
２４    受信部
２５    復調部
１００  無線通信装置
１０１  送信元回路
１０２  １次変調回路
１０３  ２次変調回路
１０４  ローカル信号回路
１０５  ミキサー／アンプ
１０５ａ  アンテナ
１１１  ＧＰＳ受信機
１１１ａ  アンテナ
１１２  メモリ
１１３  符号制御回路
１１４  拡散符号発生回路
１１５  発振器
１１６  逓倍回路
１２１  デコーダ
１２２  メモリアドレス発生器
１４１  シフトレジスタ部
１４２  多項式部
１４３  排他的論理和部
２００  無線通信装置
２０１  受信機
２０１ａ  アンテナ
２０２  ２次復調回路
２０３  １次復調回路
２０４  受取先回路
２１１  ＧＰＳ受信機
２１１ａ  アンテナ
２１２  メモリ
２１３  符号制御回路
２１４  拡散符号発生回路
【図１】
2020178184.tif 000003
【図２】
2020178184.tif 000004
【図３】
2020178184.tif 000005
【図４】
2020178184.tif 000006
【図５】
2020178184.tif 000007
【図６】
2020178184.tif 000008
【図７】
2020178184.tif 000009
【図８】
2020178184.tif 000010